(57)【要約】【課題】点火時の暖房能力において、使用条件の変化に対応しない強制的最大暖房能力の点火による室内の過度の温度上昇や無駄な燃料消費を防止する。【解決手段】温風暖房装置には、室温検出装置と、室温設定装置及び制御装置とを備えている。そして、運転開始時に検出する室内温度Ｔと設定室温Ｓの関係を制御装置１２で比較し、Ｔ≧Ｓの場合はガス量と風量が共に温調制御範囲内の最小量で、Ｔ＜Ｓの場合はガス量と風量が共に温調制御範囲内の最大量で点火するようにしている。これによって過剰な室温になることや燃料の無駄な消費が防止される。【選択図】　図１
2004003771.tif 000002
【特許請求の範囲】
【請求項１】
供給するガス量を調整するガス量調整装置と、そのガスを燃焼するバーナーと、外部の空気を取込む空気吸込口と、前記バーナーによる燃焼ガスと外部の空気とを混合する燃焼室と、その混合された空気を温風として送出す対流用ファンと、温風吹出口と、室内温度を検出する室温検出装置と、室内温度の設定ができる室温設定装置と、ガス量と前記対流用ファンの風量を制御する制御装置を備え、室内温度Ｔと設定温度Ｓとの関係がＴ≧Ｓの場合は最小暖房能力で点火し、Ｔ＜Ｓの場合は最大暖房能力で点火する温風暖房装置。
【請求項２】
室内温度Ｔと設定温度Ｓに対する点火の暖房能力の関係が、Ｔ≫Ｓなる場合を最小暖房能力、Ｔ≪Ｓなる場合を最大暖房能力、Ｔ＝Ｓなる場合を中間暖房能力とし、かつ前記関係をさらに比例的に多段階に制御される任意の暖房能力を含めた暖房能力で点火する請求項１記載の温風暖房装置。
【請求項３】
室内温度Ｔ≧設定温度Ｓの場合の点火の暖房能力において、ガス量は最小暖房能力時の最小量とし、風量は最小暖房能力時の最小量よりさらに少ない量で制御される請求項１記載の温風暖房装置。
【請求項４】
室内温度Ｔ≧設定温度Ｓの場合での点火後、所定時間連続的にガス量と風量を保持する請求項１記載の温風暖房装置。
【請求項５】
室内温度Ｔと一般的に寒いと感じる所定温度Ｒとの関係が、Ｔ＜Ｒの場合は設定温度Ｓに関係なく最大暖房能力で点火すると共に、一般的に暑いと感じる所定温度Ｑとの関係がＴ＞Ｑの場合は設定温度Ｓに関係なく最小暖房能力で点火する請求項１記載の温風暖房装置。
【発明の詳細な説明】
【０００１】
【発明の属する技術分野】
本発明は温風暖房装置に関するものである。
【０００２】
【従来の技術】
従来の温風暖房装置の構成は図６に示す。図において、燃料となるガスの供給量を調整するガス量調整装置１、そのガスの燃焼を行うバーナー２、その燃焼により発生した高温の排ガス３と器具後方にある空気吸込口４より取入れた外部の空気５とを混合する燃焼室６、バーナー２の下方には器具前方下部にある温風吹出口７より温風８を送出すための対流ファン９、室内温度を検出する室温検出装置１０、室内温度の設定ができる室温設定装置１１、前記バーナー２に供給するガス量や前記対流ファン９の回転数を制御する制御装置１２で構成されている。
【０００３】
次にその動作について図７のフローチャートを含めて説明する。運転開始時の点火動作として、まず最大暖房能力（ガス量と風量が共に温調制御範囲内で最大量）にてバーナー２に点火を行い、点火後、ある一定時間強制的にその最大暖房能力を保持する。
【０００４】
次に室内温度を設定温度に近づける温調動作として、常時検出している室温検出装置１０による室内温度Ｔと使用者が室温設定装置１１より設定する設定温度Ｓとの関係を、制御装置１２にてあらかじめ実験などで決められた室内温度Ｔと設定温度Ｓに対する暖房能力の関係を示した（表１）の相関表に照らし合せ、多段階ある任意の暖房能力に設定すべく、ガス量調整装置１と対流ファン９を制御してＴ＝Ｓになるように繰り返し制御して温調する。
【０００５】
【表１】
2004003771.tif 000003
【０００６】
ここであらかじめ決められた室内温度Ｔと設定温度Ｓの相関について、図８で説明する。室内温度Ｔと設定温度Ｓとの温度差Ｓ−Ｔにおいて、Ｓ−Ｔ＝０の場合はガス量と風量共に中間量の中間暖房能力、Ｓ−Ｔ＜−１の場合はガス量と風量共に最小量の最小暖房能力、１．０≦Ｓ−Ｔの場合はガス量と風量共に最大量の最大暖房能力の３つのポイントを基軸にガス量Ｇと風量Ｆを比例的に変化させるものであり、任意に多段階分割することが可能で、多段階化すればする程ガス量と風量を細かく制御でき、温調精度も向上する。
【０００７】
【発明が解決しようとする課題】
しかしながら、前記従来の構成における動作では、運転開始時に室内温度Ｔや設定温度Ｓに関係なく最大暖房能力にて運転を行うため、春先や秋口のような室内温度があまり低くない場合やある程度温まった部屋での再使用の場合には室内温度が過渡に上昇しすぎる傾向があり、暑すぎるなどの不快感や無駄な暖房の不経済という課題を有していた。
【０００８】
【課題を解決するための手段】
本発明は前記従来の課題を解決するために、本発明の温風暖装置は、運転開始時、常時検出可能な室内温度Ｔを室温検出装置により検出し、制御装置により設定温度Ｓと比較して暖房能力の量を判定し、ガス量や風量、つまりガス量調整装置や対流ファンを制御する。ここで、運転開始時に検出された室内温度Ｔと設定温度Ｓとの関係において、Ｔ≧Ｓの場合はガス量と風量が共に温調制御範囲内で最小量である最小暖房能力で点火され、Ｔ＜Ｓの場合はガス量と風量が共に温調制御範囲内で最大量である最大暖房能力で点火される。これにより、運転開始時の使用環境に応じた暖房能力で点火することができ、室内温度の過渡上昇による不快感や無駄な暖房の不経済を防ぐことができる。
【０００９】
【発明の実施の形態】
請求項１記載の発明は、供給するガス量を調整するガス量調整装置と、そのガスを燃焼するバーナーと、外部の空気を取込む空気吸込口と、バーナーによる燃焼ガスと外部の空気とを混合する燃焼室と、その混合された空気を温風として送出す対流用ファンと、温風吹出口と、室内温度を検出する室温検出装置と、室内温度の設定ができる室温設定装置と、前記ガス量と前記対流ファンの風量を制御する制御装置において、室内温度Ｔが設定温度Ｓに対して、Ｔ≧Ｓの場合は最小暖房能力（ガス量と風量が共に温調制御範囲内で最小量）で点火をし、Ｔ＜Ｓの場合は最大暖房能力（ガス量と風量が共に温調制御範囲内で最大量）で点火を行うことにより、室内温度があまり低くない場合での室内温度の過渡な上昇を防ぎ、不快感や無駄な燃料使用を防ぐものである。
【００１０】
請求項２記載の発明は、特に、請求項１に記載の室内温度Ｔと設定温度Ｓに対する点火の暖房能力の関係が、Ｔ≫Ｓなる場合を最小暖房能力、Ｔ≪Ｓなる場合を最大暖房能力、Ｔ＝Ｓなる場合を中間暖房能力（ガス量と風量が共に最小・最大暖房能力の中間量）とされ、かつ前記関係をさらに比例的に多段階に制御される任意の暖房能力（ガス量と風量が共に最小と最大を比例的に変化する中での任意量）を含めた暖房能力で点火を行うことにより、温調時の暖房能力と同様、さらに使用環境に適した暖房能力での点火となり、不快感や無駄な燃料使用をさらに防ぐものである。
【００１１】
請求項３記載の発明は、特に、請求項１に記載の室内温度Ｔ≧設定温度Ｓの場合の点火の暖房能力において、ガス量は最小暖房能力時の最小量とし、風量は最小暖房能力時の最小量よりさらに少ない量で制御されることにより、点火時の燃焼室内の冷えた状態での不安定な炎に対する冷風供給の低減となり、炎の安定化となるものである。
【００１２】
請求項４記載の発明は、特に、請求項３に記載の点火後、所定時間連続的にガス量と風量を保持することにより、点火時の不安定な炎の安定化時間が増加、また点火初期の暖房能力の変化による炎の乱れ防止となり、炎の安定化となるものである。
【００１３】
請求項５記載の発明は、特に、請求項１に記載の室内温度Ｔが一般的に寒いと感じる所定温度Ｒに対して、Ｔ＜Ｒの場合は設定温度Ｓに関係なく最大暖房能力（ガス量と風量が共に温調制御範囲内で最大量）、一般的に暑いと感じる所定温度Ｑに対して、Ｔ＞Ｑの場合は設定温度Ｓに関係なく最小暖房能力（ガス量と風量が共に温調制御範囲内で最小量）で点火を行うことにより、使用者の室内温度設定忘れや間違いによる室内温度Ｔと設定室温Ｓの実使用上での不一致関係を防止するものである。
【００１４】
【実施例】
以下本発明の実施例について、図面を参照しながら説明する。
【００１５】
なお、本発明の温風暖房装置の構成は従来例で示したものと同様であるため、以下では図示および説明を省略する。
【００１６】
（実施例１）
図１は、本発明の実施例１における温風暖房装置のフローチャートを示すものである。図１における点火動作として、暖房運転の開始後、室温検出装置１０より室内温度Ｔ＝Ｔ１と室温設定装置１１より設定室温Ｓ＝Ｓ１を検出し、それらの関係がＴ１≧Ｓ１の場合は最小暖房能力（ガス量が最小量Ｇｍｉｎ、風量が最小量Ｆｍｉｎ）にて点火を行い、Ｔ１＜Ｓ１の場合は最大暖房能力（ガス量が最大量Ｇｍａｘ、風量が最大量Ｆｍａｘ）にて点火を行う。
【００１７】
次に室内温度を設定温度に近づける温調動作としては従来例と同様に、再度、室温検出装置１０より室内温度Ｔ＝Ｔ２と室温設定装置１１より設定室温Ｓ＝Ｓ２を検出し、それらの関係が従来例で示した図８の相関表に従い、多段階ある任意の暖房能力に設定される。
【００１８】
（実施例２）
図２は、本発明の実施例２おける温風暖房装置のフローチャートを示すものである。図２における点火動作として、暖房運転の開始後、室温検出装置１０より室内温度Ｔ＝Ｔ１と室温設定装置１１より設定室温Ｓ＝Ｓ１を検出し、それらの関係が温調時のガス量と風量を制御するための室内温度Ｔと設定室温Ｓの相関表（従来例の図８と同様）に従い、多段階ある任意の暖房能力（Ｇｘ、Ｆｘ）にて点火を行う。
【００１９】
次に室内温度を設定温度に近づける温調動作としては従来例と同様に、再度、室温検出装置１０より室内温度Ｔ＝Ｔ２と室温設定装置１１より設定室温Ｓ＝Ｓ２を検出し、それらの関係が従来例で示した図８の相関表に従い、多段階ある任意の暖房能力に設定される。
【００２０】
（実施例３）
図３は、本発明の実施例３における温風暖房装置のフローチャートを示すものである。図３における点火動作として、暖房運転の開始後、室温検出装置１０より室内温度Ｔ＝Ｔ１と室温設定装置１１より設定室温Ｓ＝Ｓ１を検出し、それらの関係がＴ１≧Ｓ１の場合の暖房能力として、ガス量は最小暖房能力時の最小量Ｇｍｉｎであるが、風量は最小暖房能力時の最小量より少ない量Ｆｍｉｎ−Ｆｙとなる暖房能力にて点火を行い、Ｔ１＜Ｓ１の場合は最大暖房能力（ガス量が最大量Ｇｍａｘ、風量が最大量Ｆｍａｘ）にて点火を行う。
【００２１】
次に室内温度を設定温度に近づける温調動作としては従来例と同様に、再度、室温検出装置１０より室内温度Ｔ＝Ｔ２と室温設定装置１１より設定室温Ｓ＝Ｓ２を検出し、それらの関係が従来例で示した図８の相関表に従い、多段階ある任意の暖房能力に設定される。
【００２２】
（実施例４）
図４は、本発明の実施例４における温風暖房装置のフローチャートを示すものである。図４における点火動作として、暖房運転の開始後、室温検出装置１０より室内温度Ｔ＝Ｔ１と室温設定装置１１より設定室温Ｓ＝Ｓ１を検出し、それらの関係がＴ１≧Ｓ１の場合の暖房能力として、ガス量は最小暖房能力時の最小量Ｇｍｉｎであるが、風量は最小暖房能力時の最小量より少ない量Ｆｍｉｎ−Ｆｙとなる暖房能力にて点火を行い、Ｔ１＜Ｓ１の場合は最大暖房能力（ガス量が最大量Ｇｍａｘ、風量が最大量Ｆｍａｘ）にて点火を行う。その後、タイマーとしてＰ秒間その暖房能力を保持する。
【００２３】
次に室内温度を設定温度に近づける温調動作としては従来例と同様に、再度、室温検出装置１０より室内温度Ｔ＝Ｔ２と室温設定装置１１より設定室温Ｓ＝Ｓ２を検出し、それらの関係が従来例で示した図８の相関表に従い、多段階ある任意の暖房能力に設定される。
【００２４】
（実施例５）
図５は、本発明の実施例５における温風暖房装置のフローチャートを示すものである。図５における点火動作として、暖房運転の開始後、室温検出装置１０より室内温度Ｔ＝Ｔ１と室温設定装置１１より設定室温Ｓ＝Ｓ１を検出する。そのＴ１が実験などにより一般的に寒いと感じると設定した温度Ｒに対して、Ｔ１＜Ｒの場合は最大暖房能力（ガス量が最大量Ｇｍａｘ、風量が最大量Ｆｍａｘ）にて点火を行い、またＴ１が実験などにより一般的に暑いと感じると設定した温度Ｑに対して、Ｔ１＞Ｑの場合は最小暖房能力（ガス量が最小量Ｇｍｉｎ、風量が最小量Ｆｍｉｎ）にて点火を行う。また前記に該当せず、Ｔ１とＳ１の関係がＴ１≧Ｓ１の場合は最小暖房能力（ガス量が最小量Ｇｍｉｎ、風量が最小量Ｆｍｉｎ）にて点火を行い、Ｔ１＜Ｓ１の場合は最大暖房能力（ガス量が最大量Ｇｍａｘ、風量が最大量Ｆｍａｘ）にて点火を行う。
【００２５】
次に室内温度を設定温度に近づける温調動作としては従来例と同様に、再度、室温検出装置１０より室内温度Ｔ＝Ｔ２と室温設定装置１１より設定室温Ｓ＝Ｓ２を検出し、それらの関係が従来例で示した図８の相関表に従い、多段階ある任意の暖房能力に設定される。
【００２６】
【発明の効果】
以上のように請求項１〜５に記載の発明によれば、運転開始時の室内温度Ｔや設定温度Ｓを考慮した暖房能力で点火動作することにより、春先や秋口のような室内温度があまり低くない場合やある程度温まった部屋での再使用の場合に起こりやすい最大暖房能力での点火動作による室内温度の過渡上昇を防止することができ、暑すぎるなどの不快感や無駄な暖房の不経済ということが防止できる。
【図面の簡単な説明】
【図１】本発明の実施例１における温風暖房装置のフローチャート
【図２】本発明の実施例２における温風暖房装置のフローチャート
【図３】本発明の実施例３における温風暖房装置のフローチャート
【図４】本発明の実施例４における温風暖房装置のフローチャート
【図５】本発明の実施例５における温風暖房装置のフローチャート
【図６】従来の温風暖房装置の構成図
【図７】同装置のフローチャート
【図８】同装置の室内温度Ｔと設定室温Ｓの相関を示す特性図
【図１】
2004003771.tif 000004
【図２】
2004003771.tif 000005
【図３】
2004003771.tif 000006
【図４】
2004003771.tif 000007
【図５】
2004003771.tif 000008
【図６】
2004003771.tif 000009
【図７】
2004003771.tif 000010
【図８】
2004003771.tif 000011